(57)【要約】【課題】  自動的に用途別の属性の設定を行うとともに表示属性を切り替えることにより、ユーザの利便性を向上させる携帯情報端末を提供する。【解決手段】  対応記憶部６２は、処理対象データの処理が行われたときに、その処理対象データと、処理対象データの処理時に位置情報取得部３が検出した検出位置に基づいて特定した処理実施エリアと、処理がなされた日時情報とを対応させて記憶する。制御部５は、対応記憶部６２が記憶した処理対象データの表示要求を受け付けたときに、表示要求時に位置情報取得部３が検出した検出位置に基づいて特定した表示要求エリアと同一の処理実施エリアに対応されて記憶されている処理対象データを対応記憶部６２から抽出し、表示部７により日時情報の新しいものほど上位に表示させる。【選択図】        図１
2006031598.tif 000002
【特許請求の範囲】
【請求項１】
複数の表示項目を表示する表示部と、
自端末の位置情報を検出する位置検出部と、
前記表示項目に関する所定の処理がなされた時点における前記位置情報に基づいて、前記表示部に表示する前記複数の表示項目の並びを制御する制御部と
を備えたことを特徴とする携帯情報端末。
【請求項２】
前記所定の処理がなされた当該表示項目と前記所定の処理がなされた時点における前記位置情報に基づいて特定したエリア情報とを対応付けて記憶する対応記憶部とを備え、
前記制御部は、前記複数の表示項目を表示する時点における前記位置情報に基づいて特定したエリア情報に対応する前記表示項目を前記対応記憶部から抽出して、当該表示項目の選択促進順位が他の前記表示項目の選択促進順位よりも高くなるよう前記表示部に表示させる
ことを特徴とする請求項１記載の携帯情報端末。
【請求項３】
前記対応記憶部は、前記表示項目と選択促進順位を示す選択促進度とを対応付けて記憶し、前記制御部は、前記選択促進度の高い順に前記エリア情報に対応する前記表示項目の選択促進順位が高くなるよう前記表示部に表示させる
ことを特徴とする請求項２記載の携帯情報端末。
【請求項４】
選択促進度は前記所定の処理がなされた時刻であり、
時刻の新しい順に選択促進度が高くなる
ことを特徴とする請求項３記載の携帯情報端末。
【請求項５】
前記位置情報に基づいて特定した所属エリア情報を予め記憶する記憶部を備え、
前記所定の処理がなされた時点において特定したエリア情報は、当該所定の処理がなされた時点における前記所属エリア情報であり、
前記複数の表示項目を表示する時点において特定したエリア情報は、当該複数の表示項目を表示する時点における前記所属エリア情報である
ことを特徴とする請求項２記載の携帯情報端末。
【請求項６】
予め設定された指定エリア情報を記憶するエリア情報記憶部を備え、
前記エリア情報又は前記所属エリア情報は、前記位置情報及び前記指定エリア情報の相互関係に基づいて特定される
ことを特徴とする請求項２又は５のいずれかに記載の携帯情報端末。
【請求項７】
前記所定の処理がなされた時点における前記位置情報は、当該所定の処理がなされた時点において前記位置検出部が検出した自端末の位置情報である、
又は前記複数の表示項目を表示する時点における前記位置情報は、当該複数の表示する時点において前記位置検出部が検出した自端末の位置情報である
ことを特徴とする請求項２記載の携帯情報端末。
【請求項８】
前記表示項目は、自端末で実行される機能であり、
前記所定の処理は、前記表示項目の選択である
ことを特徴とする請求項１記載の携帯情報端末。
【請求項９】
電話番号又はメールアドレスを記憶する電話帳記憶部を備え、
前記表示項目は、前記電話帳記憶部の電話番号又はメールアドレスであり、
前記所定の処理は、前記電話帳記憶部の電話番号を使用した電話発信又は前記電話帳記憶部のメールアドレスを使用したメール送信である
ことを特徴とする請求項１記載の携帯情報端末。
【請求項１０】
任意の文字列の入力を受け付ける文字入力部を備え、
前記表示項目は、前記文字入力部から入力する前記文字列であり、
前記所定の処理は、前記文字列の入力又は前記表示項目の選択である
ことを特徴とする請求項１記載の携帯情報端末。
【請求項１１】
音声を送受信する通信部を備え、
前記表示項目は、前記通信部を介して発信した発信情報又は前記通信部を介して着信した着信情報であり、
前記所定の処理は、前記発信情報又は着信情報の登録である
ことを特徴とする請求項１記載の携帯情報端末。
【請求項１２】
メール通信を行う通信部を備え、
前記表示項目は、前記通信部を介してメール送信したメール送信情報又は前記通信部を介してメール受信したメール着信情報であり、
前記所定の処理は、前記メール送信情報又はメール着信情報の登録である
ことを特徴とする請求項１記載の携帯情報端末。
【請求項１３】
インターネットに接続してＷｅｂサイトを閲覧するためのブラウザ部を備え、
前記表示項目は、前記ブラウザ部で閲覧するＷｅｂの場所を示すＵＲＬ（Ｕｎｉｆｏｒｍ  Ｒｅｓｏｕｒｃｅ  Ｌｏｃａｔｏｒ）であり、
前記所定の処理は、前記表示項目を使用したインターネット接続である
ことを特徴とする請求項１記載の携帯情報端末。
【請求項１４】
自端末の位置情報を検出する工程と、
前記位置情報に基づいて特定した所属エリア情報を記憶する工程と、
所定の処理がなされた表示項目と当該所定の処理がなされた時点において特定された前記所属エリア情報とを対応付けて記憶する工程と、
複数の前記表示項目を表示する時点において特定された前記所属エリア情報に対応する前記表示項目を、当該表示項目の選択促進順位が他の前記表示項目の選択促進順位よりも高くなるよう表示される工程と
を備えたことを特徴とするデータ表示方法。
【請求項１５】
自端末の位置情報を検出する工程と、
所定の処理がなされた表示項目と当該所定の処理がなされた時点において検出した自端末の位置情報に基づいて特定したエリア情報とを対応付けて記憶する工程と、
複数の前記表示項目を表示する時点において検出した自端末の位置情報に基づいて特定したエリア情報に対応する前記表示項目を、当該表示項目の選択促進順位が他の前記表示項目の選択促進順位よりも高くなるよう表示させる工程と
を備えたことを特徴とするデータ表示方法。
【発明の詳細な説明】
【技術分野】
【０００１】
この発明は、携帯情報端末に関する。例えば、ユーザがアクセスしたデータと位置情報とを自動的に関連付けて記憶し、位置情報に基づき、記憶したデータを抽出して表示する携帯情報端末に関する。
【背景技術】
【０００２】
近年、携帯電話機やＰＤＡ等の携帯情報機器では、ユーザの嗜好や用途に応じて、多様なアプリケーション機能が利用できるようになってきている。最近の携帯電話機では、例えば電話、アドレス帳、電子メールをはじめとして、Ｗｅｂブラウザ、ゲーム、デジタルカメラ等の機能が搭載されており、ユーザは一台の端末を持ち歩くことで、好きな場所でこれらの機能を利用することが可能である。また、アドレス帳や電子メール等の各アプリケーション機能で端末内に蓄積されるデータの数や種類も非常に多くなっている。
【０００３】
しかし、このように一台の携帯情報機器に様々な機能が盛り込まれ、様々な用途・場所で使用されるようになった一方、各用途で使用する様々な機能選択項目やデータが混在して画面に表示されることにより、ユーザにとって視認性や選択の容易さが低下するという面が生じてきている。また、仕事やプライベートといった用途別に、機能選択項目や表示データを切り替えて使用したいというニーズもある。
【０００４】
これに対処する方法として、各機能選択項目やデータ毎に用途別の属性を予め設定しておき、使用時に用途別の属性を指定することで、必要な機能選択項目やデータのみを分類して表示する方法が一般に普及している。例えば、アドレス帳において各データに仕事やプライベートといった属性を設定しておき、アドレス帳データを一覧表示する際に、表示する属性を指定することで、その属性に該当するデータのみを抽出して表示することが可能である（例えば特許文献１）。
【０００５】
しかし、扱う機能選択項目やデータの数が非常に多い場合や、機能選択項目やデータの使用・登録状況が頻繁に変わるような場合、個別データに対してこれらの設定を手作業で逐一設定するのはユーザにとって非常に面倒な作業となる。
【０００６】
また、各機能選択項目やデータ毎に用途別の属性を予め設定されていたとしても、使用時に表示属性の指定を確認の上、指定を手動で切り替える必要があるため、あまり使い勝手が良いとはいえない。
【特許文献１】特開２００２−３３０４７０号公報
【発明の開示】
【発明が解決しようとする課題】
【０００７】
本発明は、上記のように各機能選択項目やデータ毎に用途別の属性を設定し、使用時に表示属性を切り替えることが可能な携帯情報端末の不便さを解消するためのものであり、自動的に用途別の属性の設定、および表示属性を切り替えることにより、ユーザの利便性を向上させることを目的とする。
【課題を解決するための手段】
【０００８】
本発明の携帯情報端末は、複数の表示項目を表示する表示部と、
自端末の位置情報を検出する位置検出部と、
前記表示項目に関する所定の処理がなされた時点における前記位置情報に基づいて、前記表示部に表示する前記複数の表示項目の並びを制御する制御部と
を備えたことを特徴とする。
【発明の効果】
【０００９】
本発明によれば、ユーザがアクセスした処理対象データと位置情報とを自動的に関連付けて記憶し、位置情報に基づき、記憶した処理対象データを抽出して表示するので、その場所で再び使用する可能性の高いデータに容易にアクセスすることができる。
【発明を実施するための最良の形態】
【００１０】
実施の形態１．
図１〜図７を用いて実施の形態１を説明する。図１は、本実施の形態１に係る携帯情報端末１００の構成図である。携帯情報端末１００は、アンテナ１、無線通信部２（通信部の一例）、位置情報取得部３（位置検出部の一例）、日時情報生成部４、制御部５、記憶部６、表示部７、ユーザ操作部８（文字入力部の一例）、音声入力部９、音声出力部１０、エリア設定部１１、及びブラウザ部１３を備える。記憶部６は、指定エリア情報記憶部６１、対応記憶部６２、電話帳記憶部６３、所属エリア情報記憶部６４を備える。
【００１１】
アンテナ１は、電波を送受信する。無線通信部２は、他の装置との通信を行う。通話及び電子メールの通信を行うことができる。位置情報取得部３は、自己の現在位置を取得する。日時情報生成部４は、日時の情報を生成する。制御部５は、携帯情報端末１００の動作を制御するとともに、後述のように、表示部７に表示される表示項目に関する所定の処理がなされた時点における位置情報に基づいて、表示部７に表示する複数の表示項目の並びを制御する。記憶部６は、所定の情報を記憶する。指定エリア情報記憶部６１は、エリア設定部１１の設定する指定エリア情報を記憶する。対応記憶部６２は、処理対象データと処理実施エリアとを対応させて記憶する。電話帳記憶部６３は、人や会社などの連絡先を示すアドレスデータを記憶する。例えば、人や会社などの電話番号、メールアドレス等を記憶する。所属エリア情報記憶部６４は、位置情報取得部３が検出した位置情報に基づいて特定した所属エリア情報を予め記憶する。表示部７は、データを表示する。ユーザ操作部８は、ユーザによる文字入力の受け付け、あるいは所定の情報に対する操作を受け付ける。音声入力部９は音声入力を受け付ける。音声出力部１０は音声を出力する。エリア設定部１１は、指定エリア情報として記憶されるエリアを設定する。ブラウザ部１３は、Ｗｅｂサイトの情報を閲覧可能にする。
【００１２】
図２は、実施の形態１の携帯情報端末１００が使用されるエリア構成図を示す。ここでは、「エリアＡ」内に携帯情報端末１００のユーザの自宅があり、「エリアＢ」内に携帯情報端末１００のユーザの勤務先があるものとする。また、「エリアＡ」と「エリアＢ」に含まれないエリアを、「エリアＯ」とする。携帯情報端末１００のユーザは、「エリアＯ」を経由して「エリアＡ」と「エリアＢ」との間を行き来するものとする。
【００１３】
次に、携帯情報端末１００の基本動作を説明する。
（１）携帯情報端末１００の指定エリア情報記憶部６１は、「指定エリア情報」を記憶する。「指定エリア情報」とは、ユーザが予め設定した複数のエリアを示す情報をいう。図２に示した「エリアＡ」、「エリアＢ」等を示す情報である。
（２）対応記憶部６２は、後述の「処理対象データ」に対する所定の処理が行われたときに、位置情報取得部３が検出した「位置」（位置情報）に基づいて指定エリア情報記憶部６１が記憶する指定エリア情報から、処理が行われたときに携帯情報端末１００が所属するエリアを検索する。この検索したエリアを「処理実施エリア」と呼ぶ。そして、検索した「処理実施エリア」と、処理が行われた「処理対象データ」とを対応させて記憶する。
（３）制御部５は、「処理対象データ」の表示を求める「表示要求」を受け付けたときに、位置情報取得部３が検出した位置（位置情報）に基づいて指定エリア情報記憶部６１が記憶する指定エリア情報から表示要求を受け付けたときに携帯情報端末１００が存在するエリアを検索する。そして、制御部５は、検索したエリアを「表示要求エリア」として、「表示要求エリア」と同じエリアである「処理実施エリア」と対応して記憶されている「処理対象データ」を対応記憶部６２から抽出し、表示部７に表示させる。表示させる場合は、後述する選択促進度に従って表示させる。
（４）表示部７は、制御部５が抽出した結果に基づいて「処理対象データ」を選択促進度に従い表示し、表示した「処理対象データ」の選択を受け付ける。
（５）ここで、「処理対象データ」とは、表示部７に表示項目として表示されるデータであって、携帯情報端末１００において「所定の処理」の対象となるデータをいう。また、「所定の処理」としては、例えば、処理対象データの「入力」、処理対象データの「登録」、処理対象データの「編集」、処理対象データの「選択」等がある。
【００１４】
以下の説明では、「処理対象データ」（表示項目の一例）として、図７（ａ）に示すような「１．電話、２．メール・・・」等の機能選択項目データ（単に、機能選択項目ともいう）を例に取る。機能選択項目に対する「所定の処理」は、「選択」である。なお、機能選択項目は、携帯情報端末１００で実行される機能であり、図７（ａ）に示す機能選択項目に限らない。図７（ａ）は例示である。
【００１５】
次に、図３〜図７を用いて、「処理対象データ」が機能選択項目である場合の具体的な動作について説明する。
【００１６】
図３は、携帯情報端末１００の一連の動作の関連を示すフローチャートである。
【００１７】
図４は、ユーザによる機能選択履歴を日時情報と指定エリア情報に関連付けて記憶する際の動作を示すフローチャートである。
【００１８】
図５は、ユーザによる機能選択履歴を日時情報と指定エリア情報に関連付けたデータテーブル２０の一例を示している。
【００１９】
図６は、現在の位置情報を基に各場所における機能選択項目一覧を表示する際の動作を示すフローチャートである。
【００２０】
図７は、携帯情報端末１００に表示される機能選択項目一覧画面の各場所での表示例（（ａ）〜（ｅ））と、ユーザによる各場所での機能選択順序（（ｂ’）（ｃ’））を示した図である。
【００２１】
まず、図３を用いて、携帯情報端末１００の動作の概要を説明する。
（１）Ｓ１１において、エリア設定部１１は、指定エリア情報を設定する。この指定エリア情報の設定についての詳細は後述する。
（２）Ｓ１２において、対応記憶部６２は、「処理実施エリア」内で所定の機能選択項目データについて選択（処理の一例）が行われた場合、「処理実施エリア」とその機能選択項目データとを対応させて、自動的に、図５のデータテーブル２０へ登録を行う。
（３）Ｓ１３において、制御部５は、ユーザによる機能選択項目データの表示要求に応答して、「表示要求エリア」と同じエリアである「処理実施エリア」と対応して記憶されている機能選択項目を抽出する。表示部７は、制御部５が抽出した結果に基づいて機能選択項目データを表示する。
（４）Ｓ１４において、表示部７は、表示した機能選択項目データについての選択を受け付ける。
（５）以上のＳ１２〜Ｓ１４の過程が繰り返される。
【００２２】
次に、指定エリア情報の設定（図３のＳ１１の場合）について具体的に説明する。
【００２３】
まず、携帯情報端末１００のユーザは、機能選択項目一覧の切替対象とする複数のエリアを指定エリア情報として予め設定しておく。図２に示した「エリアＡ」及び「エリアＢ」を設定する。エリアの設定は、エリア設定部１１により行う。各エリアの設定方法は、携帯情報端末１００の使用場所での無線基地局からの信号、あるいはＧＰＳ（Ｇｌｏｂａｌ  Ｐｏｓｉｔｉｏｎｉｎｇ  Ｓｙｓｔｅｍ）衛星の送信するＧＰＳ信号を受信することにより、実際に検出された緯度・経度情報を基準に、そこからの範囲を距離で指定する方法でもよいし、あるいは、地図を画面上（表示部７）に表示し、任意の領域を指定する方法でもよい。あるいは、住所により指定する方法でもよい。ここでは、これらの指定方法のいずれかにより、図２における、携帯情報端末１００のユーザの自宅がある「エリアＡ」と、勤務先がある「エリアＢ」を設定するものとする。
【００２４】
次に、図４を参照して、ユーザの操作により対応記憶部６２が機能選択の履歴を記憶する手順を具体的に説明する。図３のＳ１２の場合である。
【００２５】
ユーザは、最初に「エリアＡ」にいるものとする。Ｓ１０１において、携帯情報端末１００の使用時、ユーザがある機能を選択して呼び出す場合は、図７（ａ）に示すように、表示部７に表示された機能選択項目一覧より、ユーザ操作部８でキー操作等を行い、希望する機能選択項目を選択する。
【００２６】
Ｓ１０２において、その際、現在の位置および日時情報を同時に取得する。すなわち、位置情報取得部３が現在の位置を取得するとともに、日時情報生成部４が日時情報を生成する。
【００２７】
Ｓ１０３において、対応記憶部６２は、取得した位置情報から、その位置が含まれる指定エリア情報を指定エリア情報記憶部６１から「処理実施エリア」として検索し取得する。なお、位置情報からその位置を含むエリアを取得する方法としては、予め登録された各エリアに対して、円や多角形近似による数式的な内外判定により取得する方法がある。あるいは、「位置−エリア対応表（アドレスマッチングテーブル）」を参照する等、ユーザのエリア指定方法に応じた手法により、該当するエリアの抽出を行う。また、位置情報の取得並びに位置情報からのエリアの抽出は必ずしも毎回行う必要はない。通常は、現在位置に対応するエリアを「所属エリア情報」として所属エリア情報記憶部６４に記憶しておき、その「所属エリア情報」を参照するようにして、エリア間の移動があったかどうかを定期的に判定する。そして、エリア境界を跨った移動があったとの判定がされた場合に、記憶されている「所属エリア情報」を更新するようにしても良い。例えば、周期タイマからの割り込みのタイミングで位置情報を取得し、得られた位置と記憶している「所属エリア情報」とを比較し、エリアが異なっている場合にはエリアの移動があったと判定して、所属エリア情報記憶部６４に記憶している「所属エリア情報」を更新する。
【００２８】
Ｓ１０４において、対応記憶部６２は、指定エリア情報としてユーザが予め設定したエリア中に、該当する「処理実施エリア」が存在すれば、その指定エリア情報を（ここではエリアＡ）、該当するエリアがなければエリアＯを、日時情報と共にユーザが選択した機能選択項目情報に付加して記憶する。ここで「日時情報」は、図６の説明で後述する「選択促進度」の一例である。図５は、ユーザの機能選択操作毎に記憶したデータテーブル２０の例を示す。例えば、図５において「ゲーム」は、「処理実施エリア」として「エリアＡ」の範囲内で、２００４年２月１日の２１時に選択されたことを示している。
【００２９】
ユーザが各機能選択操作を行う毎にこの手順を繰り返し、ユーザが別のエリアに移動した際は、各位置の「処理実施エリア」を付加して各操作情報を記憶する。図５の「ゲーム」〜「電話」は、上記の手順によりユーザによる機能選択項目の選択毎に、「処理実施エリア」及び日時情報を、処理対象データである機能選択項目に対応させて記憶した場合を示している。
【００３０】
次に、図６のフローチャートを用いて、各場所において機能選択項目一覧を表示する際の動作を説明する。図３のＳ１３に対応する。
【００３１】
Ｓ２０１において、携帯情報端末１００は、ユーザによる機能選択項目一覧の表示を求める表示要求に応答して、位置情報取得部３により現在位置を取得する。ここで「表示要求」とは、具体的には、例えば、ユーザが、機能選択項目一覧を表示する「表示ボタン」を押すような場合である。
【００３２】
Ｓ２０２において、制御部５は、位置情報から、その位置が含まれる「表示要求エリア」を取得する。すなわち、制御部５は、「表示要求」を受け付けたときに、位置情報取得部３が検出した位置に基づいて指定エリア情報記憶部６１が記憶するエリア情報から「表示要求」を受け付けたときに携帯情報端末１００が所属する「表示要求エリア」を検索する。また、Ｓ２０１，２０２の位置情報及びエリア情報の取得については、定期的に検出した位置情報に対応するエリア情報を「所属エリア情報」として所属エリア情報記憶部６４に記憶しておき、その「所属エリア情報」を参照してもよい。
【００３３】
Ｓ２０３において、制御部５は、「表示要求エリア」と同じエリアである「処理実施エリア」と対応して記憶されている機能選択項目を対応記憶部６２の記憶するデータテーブル２０から抽出する。
【００３４】
Ｓ２０４において、エリア情報に関連した機能選択項目について、日時情報の示す日時が新しいものが上位に配置されるようソートを行う。関連エリア外で過去に選択した機能選択項目については、下位に配置し、それらについても日時でソートして配置する。なお、重複する機能選択項目については、最上位のデータのみを残して残りは削除する。すなわち、表示部７に機能選択項目を表示する場合は、エリア情報に関連した機能選択項目とともに、関連エリア外で過去に選択した機能選択項目も表示する。その場合は、関連エリアに該当する機能選択項目は、関連エリア外で過去に選択した機能選択項目よりも上位に表示する。さらに、関連エリアに該当する機能表示項目は、日時情報の新しいものほど上位に表示する。ここで日時情報は「選択促進度」の一例である。「選択促進度」とは、選択促進順位を示す。「選択促進順位」とは、表示部７に表示される表示順位をいう。例えば、図７（ｂ）において、表示部７には、「１メール、２音楽、３ゲーム・・・」と表示されている。「選択促進順位」は、この「１」、「２」等の順位を意味する。例えば、図７（ｂ）において「１メール」は「２音楽」よりも選択促進順位が高い（上位である）。また、「３ゲーム」は「２音楽」よりも選択促進順位が低い（下位である）。携帯情報端末１００は、選択促進度が高いほど選択促進順位を高く表示する。「日時情報」が選択促進度の場合は、日時が新しいほど選択促進度が高いものとする。従って、日時が新しい機能項目ほど、上位に表示される。「日時情報」は選択促進度の一例であり、自由に設定して構わない。例えば、「日時情報」の他、機能選択項目の「使用頻度」を選択促進度としても構わない。
【００３５】
Ｓ２０５において、ソートされた機能選択項目を一覧表示する。
【００３６】
図４、図６に示した動作を、ユーザが機能選択操作を行う毎に実行する。これにより、携帯情報端末１００のそれぞれの使用場所において、頻繁に使用する機能が機能選択項目一覧で上位に自動的に配置される。そのため、各場所・用途別に使用する可能性の高い機能をユーザが容易に選択できるようになり、操作性が向上する。
【００３７】
次に、図７を用いて、機能選択項目一覧の画面表示の様子、およびユーザ操作の具体例を説明する。
（１）図７（ａ）に示すように、携帯情報端末１００の表示部７には、初期状態において「１．電話、２．メール・・・」のような順番で機能選択項目が一覧表示されているものとする。最上段の「１．電話」にカーソルがある。ユーザは、このカーソルをカーソル移動キー（ユーザ操作部８の一例）により、呼び出したい項目に移動させ、選択キー（ユーザ操作部８の一例）の押下により選択動作を行う。この選択動作により、例えば、「２．メール」等の特定の機能選択項目を呼び出すことができる。なお、表示部７に「１．電話、２．メール・・・」のように機能選択項目を文字により表示してカーソルによりしているが、これは一例である。機能選択項目はアイコン表示にしてマウスポインタで選択してもよいし、表示の点滅などのような表示方法、選択方法であってもよい。
（２）そして、エリアＡにおいて、最初に「ゲーム」を選択した場合、「ゲーム」という機能選択項目名と日時情報、エリア情報がデータテーブル２０に記録される。
（３）そして、再度、機能選択項目の一覧を表示する場合は、「ゲーム」が最上位に表示される。
（４）続いて、図７（ｂ’）に示すように、「音楽」→「メール」と機能選択項目の選択操作を行うと、最終的に、機能選択項目の一覧は図７（ｂ）のように表示される。
【００３８】
次に、ユーザがエリアＢに移動して、同様にいくつかの機能選択操作を行うものとする。エリアＢに移動した際の初期状態は図７（ｂ）とする。ここで、図７（ｃ’）に示すように、「電卓」→「ブラウザ」→「メール」→「電話」と使用した場合、最終的に機能選択項目一覧は、図７（ｃ）のように表示される。
【００３９】
そして再度ユーザがエリアＡに移動すると、表示は、図７（ｄ）のようになり、以前エリアＡで使用した際の機能選択項目が上位に表示される。このため、ユーザは、以前エリアＡで使用した機能を容易に選択することが可能となる。
【００４０】
また、再度、ユーザがエリアＢに移動した際は、同様に以前エリアＢで使用した際の機能選択項目が上位に表示される。このため、ユーザは以前エリアＢで使用した機能を容易に選択することが可能である。
【００４１】
以上、本実施の形態１では機能選択項目一覧に適用した場合について説明した。しかし、これに限定されることはなく、その他のユーザ操作・発着信履歴データ（ＵＲＬ入力、ブックマーク登録、ブックマーク選択、アドレス帳登録、電話・電子メール発着信、文字入力等）の一覧表示にも適用可能である。以下に、これらについて説明する。
【００４２】
まず、「処理対象データ」が、ＵＲＬ（表示項目の一例）の場合を説明する。携帯情報端末１００は、ブラウザ部１３を備えている。ブラウザ部１３は、インターネットに接続してＷｅｂサイトの情報を閲覧可能とするとともに、ＵＲＬを受け付けることができる。
携帯情報端末１００において、
（１）「処理対象データ」がＵＲＬであり、ＵＲＬに対する「処理」が「入力」とする。この場合、対応記憶部６２は、入力されたＵＲＬと入力が行われた「処理実施エリア」とを対応して記憶する。データ抽出部１２は、「表示要求エリア」において「表示要求エリア」と同一の「処理実施エリア」に対応して記憶されているＵＲＬを抽出し、表示部７が抽出されたＵＲＬを表示するとともに、表示したＵＲＬの選択を受け付ける。
（２）また、「処理対象データ」がＵＲＬであり、ＵＲＬに対する「処理」がブックマークへの「登録」とする。この場合、携帯情報端末１００は、上記の「入力」の場合と同様に、ブックマーク登録されたＵＲＬと「処理実施エリア」とを対応させて記憶し、「表示要求エリア」において、抽出して表示する。
（３）また、「処理対象データ」がＵＲＬであり、ＵＲＬに対する「処理」がブックマークにおける「選択」とする。携帯情報端末１００は、上記の「ブックマーク登録」の場合と同様に、ブックマークの「選択」がされたＵＲＬと「処理実施エリア」とを対応させて記憶し、「表示要求エリア」において、抽出して表示する。
４）また、「処理対象データ」がＵＲＬであり、ＵＲＬに対する「処理」が前記ＵＲＬを使用したインターネット接続の場合である。携帯情報端末１００は、上記の「ブックマーク登録」の場合と同様に、前記ＵＲＬと、当該インターネット接続という処理を行った「処理実施エリア」とを対応させて記憶し、インターネット接続をしようとする場合に、「表示要求エリア」において、前記ＵＲＬを抽出して表示する。
【００４３】
次に、「処理対象データ」が、人や会社などの連絡先を示すデータである「アドレスデータ」の場合を説明する。「アドレスデータ」とは、前記のように、例えば電話番号、メールアドレス等である。携帯情報端末１００は、アドレスデータを記憶する電話帳記憶部６３（例えばアドレス帳機能）を備えている。このアドレスデータに対して、登録、選択、編集が可能である。アドレスデータに対してこれら登録、選択、編集のいずれかの「処理」が行われた場合、携帯情報端末１００は、上記のＵＲＬの場合と同様に、登録、選択、編集のいずれかが行われたアドレスデータと、登録、編集等が行われた「処理実施エリア」とを対応させて記憶し、「表示要求エリア」において、抽出して表示する。
【００４４】
次に、「処理対象データ」が、携帯情報端末１００に入力される「入力文字」の場合を説明する。携帯情報端末１００は、任意の文字列の「入力」を受け付けるユーザ操作部８（文字入力部の一例）を備えている。この入力文字が入力された場合、携帯情報端末１００は、上記のＵＲＬの場合と同様に、入力された入力文字と、入力が行われた「処理実施エリア」とを対応させて記憶し、「表示要求エリア」において、抽出して表示する。また、携帯情報端末１００は、表示部７に「表示項目」として、入力された文字列を表示する。「所定の処理」として表示部に表示された文字列が「選択」された場合には、上記のＵＲＬの場合と同様に、選択された入力文字と、選択が行われた「処理実施エリア」とを対応させて記憶し、「表示要求エリア」において、抽出して表示する。
【００４５】
次に、携帯情報端末１００において、無線通信部２（通信部）を用いた場合について説明する。無線通信部２は、データの通信を行う。前記のように、無線通信部２は電話回線による通話（音声の送受信）や電子メールの送受信が可能である。
（１）まず、携帯情報端末１００において、「処理対象データ」が「電話番号」あるいは「メールアドレス」であり、「所定の処理」が、「電話番号」を使用した電話発信、又は「メールアドレス」を使用したメール発信の場合を説明する。すなわち、電話帳記憶部６３は「電話番号」及び「メールアドレス」を記憶している。そして、表示部７は、表示項目として、電話帳記憶部６３の記憶する「電話番号」、又は「メールアドレス」を表示する。ユーザは、表示部７に表示された「電話番号」、又は「メールアドレス」を使用して電話の発信、メールの送信等を行うことができる。この場合、電話発信を例にとれば、上記の機能選択項目の場合と同様に、対応記憶部６２は、表示部７に表示された「電話番号」と、その「電話番号」を使用した電話発信が行われたエリアを「処理実施エリア」として対応して記憶する。メール送信の場合の「メールアドレス」についても同様である。その後に複数の電話番号を表示部７に表示する場合、上記の機能選択項目の場合と同様に、制御部５は、「表示要求エリア」において「表示要求エリア」と同一の「処理実施エリア」に対応して記憶されている「電話番号」を抽出し、表示部７に抽出した「電話番号」を表示させる。「メールアドレス」の場合も同様である。なお、表示部７に表示する場合は、機能選択項目の場合と同様に、日時情報（選択促進度の一例）の新しいものほど上位に表示する。以下の場合も同様である。
（２）次に、携帯情報端末１００において、「処理対象データ」が電話による「発信情報」又は「着信情報」であり、「所定の処理」が「発信情報」又は「着信情報」の登録である場合を説明する。表示部７は、表示項目として、「発信情報」又は「着信情報」を表示する。携帯情報端末１００は、「発信情報」又は「着信情報」を登録する。この場合「発信情報」を例にとれば、上記の機能選択項目の場合と同様に、対応記憶部６２は、表示部７に表示される表示項目である「発信情報」と、当該「発信情報」の登録が行われたエリアを「処理実施エリア」として対応して記憶する。「着信情報」について同様である。その後に複数の「発信情報」を表示部７に表示する場合、上記の機能選択項目の場合と同様に、制御部５は、「表示要求エリア」において「表示要求エリア」と同一の「処理実施エリア」に対応して記憶されている「発信情報」を抽出し、表示部７に抽出した「発信情報」を表示させる。「着信情報」の場合も同様である。
（３）さらに、携帯情報端末１００において、「処理対象データ」が電子メール機能を使用した「メール送信情報」又は「メール着信情報」であり、「所定の処理」が「メール送信情報」又は「メール着信情報」の登録である場合を説明する。表示部７は、表示項目として、「メール送信情報」又は「メール着信情報」を表示する。携帯情報端末１００は、「メール送信情報」又は「メール着信情報」を登録する。この場合「メール送信情報」を例にとれば、上記の機能選択項目の場合と同様に、対応記憶部６２は、表示部７に表示される表示項目である「メール送信情報」と、当該「メール送信情報」の登録が行われたエリアを「処理実施エリア」として対応して記憶する。「メール着信情報」について同様である。その後に複数の「メール送信情報」を表示部７に表示する場合、上記の機能選択項目の場合と同様に、制御部５は、「表示要求エリア」において「表示要求エリア」と同一の「処理実施エリア」に対応して記憶されている「メール送信情報」を抽出し、抽出した「メール送信情報」を表示部７に表示させる。「メール着信情報」の場合も同様である。
【００４６】
実施の形態１の携帯情報端末１００は、位置情報取得部が検出した位置情報に基づいて、制御部により表示部に表示する表示項目の並びを制御するので、その場所で再び使用する可能性の高いデータにアクセスすることが容易になる。
【００４７】
実施の形態１の携帯情報端末１００は、対応記憶部によりユーザがアクセスした処理対象データと位置情報とを自動的に関連付けて記憶し、制御部により位置情報に基づきデータをソートして一覧表示するので、その場所で再び使用する可能性の高いデータにアクセスすることが容易になる。
【００４８】
実施の形態１の携帯情報端末１００は、対応記憶部が処理対象データ（表示項目）と日時情報（選択促進度）とを対応つけて記憶し、制御部は日時情報の新しい処理対象データを上位に表示するので、その場所で再び使用する可能性の高いデータにアクセスすることが容易になる。
【００４９】
実施の形態１の携帯情報端末１００は、所属エリア情報記憶部が予め所属エリア情報を記憶するので、処理対象データの処理時、あるいは処理対象データの表示時に、都度、位置情報を検出する必要がなくなる。このため、処理の迅速化を図ることができる。
【００５０】
実施の形態１の携帯情報端末１００は、指定エリア情報記憶部が予め設定された指定エリア情報を記憶するので、エリアを細かく設定することができる。
【００５１】
実施の形態１の携帯情報端末１００は、位置情報取得部が処理対象データの処理時、あるいは処理対象データの表示時に、都度、位置情報を検出するので、所属するエリアを正確に特定することができる。
【００５２】
実施の形態１の携帯情報端末１００は、処理対象データが機能選択項目であり、所定の「処理」が処理対象データの選択であるので、その場所で再び使用する可能性の高い機能選択項目にアクセスすることが容易になる。
【００５３】
実施の形態１の携帯情報端末１００は、処理対象データが電話番号又はメールアドレスあり、、所定の「処理」がその電話番号を使用した電話発信又はそのメールアドレスを使用したメール送信であるので、その場所で再び使用する可能性の高い電話番号、又はメールアドレスにアクセスすることが容易になる。
【００５４】
実施の形態１の携帯情報端末１００は、処理対象データが入力する前記文字列であり、所定の「処理」が文字列の入力又は表示項目の選択であるので、その場所で再び使用する可能性の高い電話番号、又はメールアドレスにアクセスすることが容易になる。
【００５５】
実施の形態１の携帯情報端末１００は、処理対象データが音声の発信情報又は音声の着信情報であり、所定の「処理」がその発信情報又は着信情報の登録であるので、その場所で再び使用する可能性の高い発信情報又は着信情報にアクセスすることが容易になる。
【００５６】
実施の形態１の携帯情報端末１００は、処理対象データが音声の発信情報又は音声の着信情報であり、所定の「処理」がその発信情報又は着信情報の登録であるので、その場所で再び使用する可能性の高い発信情報又は着信情報にアクセスすることが容易になる。
【００５７】
実施の形態１の携帯情報端末１００は、処理対象データがＵＲＬであり、所定の「処理」がそのＵＲＬを使用したインターネット接続であるので、その場所で再び使用する可能性の高いＵＲＬにアクセスすることが容易になる。
【００５８】
以上のように実施の形態１の携帯情報端末１００は、複数のデータを一覧表示し、その表示されたデータ一覧からユーザが特定のデータを選択することが可能な携帯情報端末において、所定の場所を示すエリア情報と、前記エリア内においてユーザが特定のデータを登録または編集または選択等を行った際の履歴情報とを関連づけて自動的に記憶する対応記憶部と、現在の位置を検出する位置情報取得部と、前記位置情報取得部により検出された位置と前記エリア情報とを比較して、前記対応記憶部から前記エリア情報に関連した前記履歴情報を抽出する制御部と、前記抽出された履歴情報を基にデータ一覧を生成し前記データ一覧を表示する表示部とを備えたことを特徴とする。
【００５９】
以上のように実施の形態１の携帯情報端末１００は、前記表示部によりデータ一覧を表示する際に、選択促進度に従ってデータを並べ替えることを特徴とする。
【００６０】
以上のように実施の形態１の携帯情報端末１００は、前記複数のデータが機能選択項目であることを特徴とする。
【００６１】
以上のように実施の形態１の携帯情報端末１００は、Ｗｅｂブラウザ機能を利用可能であり、前記の複数のデータがＵＲＬ入力履歴情報またはブックマーク登録履歴情報またはブックマーク選択履歴情報であることを特徴とする。
【００６２】
以上のように実施の形態１の携帯情報端末１００は、アドレス機能を利用可能であり、前記の複数のデータがアドレスデータであることを特徴とする。
【００６３】
以上のように実施の形態１の携帯情報端末１００は、電話機能を利用可能であり、前記の複数のデータが電話発信履歴または電話着信履歴であることを特徴とする。
【００６４】
以上のように実施の形態１の携帯情報端末１００は、電子メール機能を利用可能であり、前記の複数のデータがメール発信履歴またはメール着信履歴であることを特徴とする。
【００６５】
以上のように実施の形態１の携帯情報端末１００は、前記の複数のデータが文字列入力履歴であることを特徴とする。
【００６６】
実施の形態２．
次に、図８〜図１０を用いて実施の形態２を説明する。実施の形態２は、実施の形態１に係る携帯情報端末１００の動作を、方法、プログラム及びプログラムを記録した記録媒体により実施する実施形態である。
【００６７】
前記の実施の形態１においては、携帯情報端末１００における各構成要素の動作は、互いに関連しており、動作の関連を考慮しながら、一連の動作として置き換えることができる。そして、このように構成要素の動作を一連の工程に置き換えることにより、データ表示方法の実施形態とすることができる。
【００６８】
図８は、実施の形態１に示した携帯情報端末１００が、所属エリア情報を記憶する場合の、位置情報取得部３、所属エリア情報記憶部６４、対応記憶部６２、表示部７等の動作を一連の工程に置き換えて、「データ表示方法」の実施形態としたフローチャートを示す。Ｓ４０１において、自端末の位置情報を検出する。Ｓ４０２において、前記位置情報に基づいて特定した所属エリア情報を記憶する。Ｓ４０３において、所定の処理がなされた表示項目と当該所定の処理がなされた時点において特定された前記所属エリア情報とを対応付けて記憶する。Ｓ４０４において、複数の前記表示項目を表示する時点において特定された前記所属エリア情報に対応する前記表示項目を、当該表示項目の選択促進順位が他の前記表示項目の選択促進順位よりも高くなるよう表示される。
【００６９】
また、図９は、実施の形態１に示した携帯情報端末１００が所属エリア情報を記憶せずに、所定の処理、及び表示項目が表示される時点で位置情報を検出する場合の位置情報取得部３、対応記憶部６２、表示部７等の動作を一連の工程に置き換えて、「データ表示方法」の実施形態としたフローチャートを示す。Ｓ５０１において、自端末の位置情報を検出する。Ｓ５０２において、所定の処理がなされた表示項目と当該所定の処理がなされた時点において検出した自端末の位置情報に基づいて特定したエリア情報とを対応付けて記憶する。Ｓ５０３において、複数の前記表示項目を表示する時点において検出した自端末の位置情報に基づいて特定したエリア情報に対応する前記表示項目を、当該表示項目の選択促進順位が他の前記表示項目の選択促進順位よりも高くなるよう表示させる。
【００７０】
また、図８、図９のＳ４０１〜Ｓ４０４、あるいはＳ５０１〜Ｓ５０３の一連の工程を、一連の処理と置き換えることにより、「データ表示プログラム」の実施形態とすることができる。また、「データ表示プログラム」を、コンピュータ読み取り可能な記録媒体に記録させることで、「データ表示プログラムを記録したコンピュータ読み取り可能な記録媒体」の実施の形態とすることができる。
【００７１】
プログラムの実施の形態及びプログラムを記録したコンピュータ読み取り可能な記録媒体の実施の形態は、すべてコンピュータで動作可能なプログラムにより構成することができる。
【００７２】
図１０は、実施の形態１に係る携帯情報端末１００の動作を、プログラムにより実行する携帯情報端末２００の構成を示す。
【００７３】
ＣＰＵ（Ｃｅｎｔｒａｌ  Ｐｒｏｃｅｓｓｉｎｇ  Ｕｎｉｔ）９０は、バス８９を介して、記憶装置９６、ディスプレイ９１、操作キー９２、通信部９３、位置検出部９４等が接続されている。また、記憶装置９６には、オペレーティングシステムであるＯＳ９７、プログラム群９８、ファイル群９９が格納されている。
【００７４】
プログラムの実施の形態及びプログラムを記録したコンピュータ読み取り可能な記録媒体の実施の形態における各処理は、プログラムで実行されるが、このプログラムは、記憶装置９６に記憶されている。そして、記憶装置９６からＣＰＵ９０に読み込まれ、ＣＰＵ９０によって、プログラムの各処理が実行される。
【００７５】
また、ソフトウェア、あるいはプログラムは、図示していないＲＯＭ（Ｒｅａｄ  Ｏｎｌｙ  Ｍｅｍｏｒｙ）に記憶されたファームウェアで実行しても構わない。あるいは、ソフトウェアとファームウェアとハードウェアの組み合わせで実行しても構わない。
【００７６】
実施の形態２に係るデータ表示方法は、予め所属エリア情報を記憶するので、処理対象データの処理時、あるいは処理対象データの表示時に、都度、位置情報を検出する必要がなくなる。このため、処理の迅速化を図るとともに、その場所で再び使用する可能性の高いデータにアクセスすることが容易となる。
【００７７】
実施の形態２に係るデータ表示方法は、処理対象データの処理時、あるいは処理対象データの表示時に、都度、位置情報を検出するので、所属するエリアを正確に特定することができるとともに、その場所で再び使用する可能性の高いデータにアクセスすることが容易となる。
【図面の簡単な説明】
【００７８】
【図１】実施の形態１に係る携帯情報端末１００の構成を示す図である。
【図２】実施の形態１に係る携帯情報端末１００が使用されるエリア構成図を示す。
【図３】実施の形態１に係る携帯情報端末１００の一連の動作の関連を示すフローチャートである。
【図４】実施の形態１におけるユーザによる機能選択履歴を日時情報とエリア情報に関連付けて記憶する動作を示すフローチャートである。
【図５】実施の形態１におけるデータテーブル２０の一例を示す図である。
【図６】実施の形態１における現在の位置情報を基に各場所における機能選択項目一覧を表示する際の動作を示すフローチャートである。
【図７】実施の形態１の携帯情報端末１００に表示される機能選択項目一覧画面の各場所での表示例と、ユーザによる各場所での機能選択順序を示す図である。
【図８】実施の形態２に係るデータ表示方法を示すフローチャートである。
【図９】実施の形態２に係るデータ表示方法を示すフローチャートである。
【図１０】実施の形態２に係る携帯情報端末２００の構成を示す図である。
【符号の説明】
【００７９】
１  アンテナ、２  無線通信部、３  位置情報取得部、４  日時情報生成部、５  制御部、６  記憶部、７  表示部、８  ユーザ操作部、９  音声入力部、１０  音声出力部、１１  エリア設定部、１３  ブラウザ部、２０  データテーブル、６１  指定エリア情報記憶部、６２  対応記憶部、６３  電話帳記憶部、６４  所属エリア情報記憶部、８９  バス、９０  ＣＰＵ、９１  ディスプレイ、９２  操作キー、９３  通信部、９４  位置検出部、９６  記憶装置、９７  ＯＳ、９８  プログラム群、９９  ファイル群、１００，２００  携帯情報端末。
【図１】
2006031598.tif 000003
【図２】
2006031598.tif 000004
【図３】
2006031598.tif 000005
【図４】
2006031598.tif 000006
【図５】
2006031598.tif 000007
【図６】
2006031598.tif 000008
【図７】
2006031598.tif 000009
【図８】
2006031598.tif 000010
【図９】
2006031598.tif 000011
【図１０】
2006031598.tif 000012